(57)【要約】【課題】フィン間隔調整機構によるフィン間隔調整状態に拘らず、チャフシーブの有効前後長さを略一定に維持する。【解決手段】揺動選別体１４は、処理物を後方に流すグレンパン２１と、グレンパン２１の後方に配置され、前後方向に並列する複数のフィン２２間から処理物を漏下させるチャフシーブ２３と、複数のフィン２２の傾斜角度を略一定に維持したまま、複数のフィン２２を前後方向にスライド移動させてフィン間隔を調整するフィン間隔調整機構３０と、を備え、フィン間隔調整機構３０は、チャフシーブ２３の後端を基準とし、複数のフィン２２の前方へのスライド移動に基づいてフィン間隔を広げ、複数のフィン２２の後方へのスライド移動に基づいてフィン間隔を狭くし、チャフシーブ２３の前部は、複数のフィン２２の前方へのスライド移動に際し、グレンパン２１の下方に入り込む。【選択図】図２
2018068202.tif 000002
【特許請求の範囲】
【請求項１】
処理物を揺動選別する揺動選別体と、
前記揺動選別体の下方で選別風を起風し、処理物を風選別する選別ファンと、
前記揺動選別体及び前記選別ファンによって選別された一番物を収容する一番ラセンと、を備える脱穀選別装置であって、
前記揺動選別体は、
処理物を後方に流すグレンパンと、
前記グレンパンの後方に配置され、前後方向に並列する複数のフィン間から処理物を漏下させるチャフシーブと、
複数の前記フィンの傾斜角度を略一定に維持したまま、複数の前記フィンを前後方向にスライド移動させて前記フィン同士の間隔を調整するフィン間隔調整機構と、
前側ほど低くなる傾斜姿勢で配置され、前記チャフシーブから漏下する一番物を前記一番ラセンに導く一番流板と、を備え、
前記フィン間隔調整機構は、前記チャフシーブの後端を基準とし、複数の前記フィンの前方へのスライド移動に基づいて前記フィン同士の間隔を広げ、複数の前記フィンの後方へのスライド移動に基づいて前記フィン同士の間隔を狭くし、
前記チャフシーブの前部は、複数の前記フィンの前方へのスライド移動に際し、前記グレンパンの下方に入り込むことを特徴とする脱穀選別装置。
【請求項２】
前記チャフシーブの後端位置が、前記フィン間隔調整機構によるフィン間隔調整状態に拘らず、前記一番流板の上端位置よりも後方であることを特徴とする請求項１に記載の脱穀選別装置。
【請求項３】
前記チャフシーブは、
後部を構成する複数の前記フィンと、
前部を構成する第２グレンパンと、を備え、
前記第２グレンパンは、複数の前記フィンと一緒に前後方向にスライド移動するとともに、複数の前記フィンの前方へのスライド移動に際し、前記グレンパンの下方に入り込むことを特徴とする請求項１又は２に記載の脱穀選別装置。
【請求項４】
前記グレンパンと前記チャフシーブとの間には、選別風が通る選別風路が設けられることを特徴とする請求項１〜３のいずれか一項に記載の脱穀選別装置。
【請求項５】
前記選別風路は、前記グレンパンの下方に設けられ、前記チャフシーブの前部が入り込むスペースに兼用されることを特徴とする請求項４に記載の脱穀選別装置。
【発明の詳細な説明】
【技術分野】
【０００１】
本発明は、コンバインなどに設けられる脱穀選別装置に関する。
【背景技術】
【０００２】
コンバインなどに設けられる脱穀選別装置は、通常、処理物を揺動選別する揺動選別体と、揺動選別体の下方で選別風を起風し、処理物を風選別する選別ファンと、揺動選別体及び選別ファンによって選別された一番物を収容する一番ラセンと、を備える。
【０００３】
揺動選別体は、少なくとも、処理物を後方に流すグレンパンと、グレンパンの後方に配置され、前後方向に並列する複数のフィン間から処理物を漏下させるチャフシーブと、前側ほど低くなる傾斜姿勢で配置され、チャフシーブから漏下する一番物を一番ラセンに導く一番流板と、を備えており、処理物の量に応じてフィン同士の間隔を調整可能にしたチャフシーブも知られている。
【０００４】
例えば、特許文献１には、複数のフィンの傾斜角度を略一定に維持したまま、複数のフィンを前後方向にスライド移動させてフィン同士の間隔を調整するフィン間隔調整機構が開示されている。このようなフィン間隔調整機構によれば、チャフシーブを通過する選別風の風向を変えることなく、フィン同士の間隔を調整できるという利点がある。
【先行技術文献】
【特許文献】
【０００５】
【特許文献１】特開２００４−８１０２４号公報
【発明の概要】
【発明が解決しようとする課題】
【０００６】
しかしながら、特許文献１の脱穀選別装置では、チャフシーブのフィン同士の間隔を変更すると、チャフシーブの有効前後長さ（選別長さ）が変化するので、フィン同士の間隔を狭くした状態では、チャフシーブの有効前後長さが不足し、選別精度が低下する虞があった。
【課題を解決するための手段】
【０００７】
本発明は、上記の如き実情に鑑みこれらの課題を解決することを目的として創作されたものであって、請求項１の発明は、処理物を揺動選別する揺動選別体と、前記揺動選別体の下方で選別風を起風し、処理物を風選別する選別ファンと、前記揺動選別体及び前記選別ファンによって選別された一番物を収容する一番ラセンと、を備える脱穀選別装置であって、前記揺動選別体は、処理物を後方に流すグレンパンと、前記グレンパンの後方に配置され、前後方向に並列する複数のフィン間から処理物を漏下させるチャフシーブと、複数の前記フィンの傾斜角度を略一定に維持したまま、複数の前記フィンを前後方向にスライド移動させて前記フィン同士の間隔を調整するフィン間隔調整機構と、前側ほど低くなる傾斜姿勢で配置され、前記チャフシーブから漏下する一番物を前記一番ラセンに導く一番流板と、を備え、前記フィン間隔調整機構は、前記チャフシーブの後端を基準とし、複数の前記フィンの前方へのスライド移動に基づいて前記フィン同士の間隔を広げ、複数の前記フィンの後方へのスライド移動に基づいて前記フィン同士の間隔を狭くし、前記チャフシーブの前部は、複数の前記フィンの前方へのスライド移動に際し、前記グレンパンの下方に入り込むことを特徴とする。
また、請求項２の発明は、請求項１に記載の脱穀選別装置であって、前記チャフシーブの後端位置が、前記フィン間隔調整機構によるフィン間隔調整状態に拘らず、前記一番流板の上端位置よりも後方であることを特徴とする。
また、請求項３の発明は、請求項１又は２に記載の脱穀選別装置であって、前記チャフシーブは、後部を構成する複数の前記フィンと、前部を構成する第２グレンパンと、を備え、前記第２グレンパンは、複数の前記フィンと一緒に前後方向にスライド移動するとともに、複数の前記フィンの前方へのスライド移動に際し、前記グレンパンの下方に入り込むことを特徴とする。
また、請求項４の発明は、請求項１〜３のいずれか一項に記載の脱穀選別装置であって、前記グレンパンと前記チャフシーブとの間には、選別風が通る選別風路が設けられることを特徴とする。
また、請求項５の発明は、請求項４に記載の脱穀選別装置であって、前記選別風路は、前記グレンパンの下方に設けられ、前記チャフシーブの前部が入り込むスペースに兼用されることを特徴とする。
【発明の効果】
【０００８】
請求項１の発明によれば、フィン間隔調整機構は、チャフシーブの後端を基準（固定点）とし、複数のフィンの前後スライド移動に基づいてフィン同士の間隔を調整するだけでなく、複数のフィンの前方へのスライド移動に際し、チャフシーブの前部がグレンパンの下方に入り込むので、フィン間隔調整機構によるフィン間隔調整状態に拘らず、チャフシーブの有効前後長さ（選別長さ）を略一定に維持できる。
また、請求項２の発明によれば、チャフシーブの後端位置が、フィン間隔調整機構によるフィン間隔調整状態に拘らず、一番流板の上端位置よりも後方となるので、チャフシーブの後端まで到達した藁屑などの夾雑物が一番流板に落下して一番ラセンに混入することを防止できる。
また、請求項３の発明によれば、チャフシーブは、後部を構成する複数のフィンと、前部を構成する第２グレンパンと、を備え、第２グレンパンは、複数のフィンと一緒に前後方向にスライド移動するとともに、複数のフィンの前方へのスライド移動に際し、グレンパンの下方に入り込むので、複数のフィンをグレンパンの下方に入り込ませる場合に比べ、入り込ませるためのスペースを小さくできる。
また、請求項４の発明によれば、グレンパンとチャフシーブとの間には、選別風が通る選別風路が設けられるので、選別精度を向上できる。
また、請求項５の発明によれば、選別風路は、グレンパンの下方に設けられ、チャフシーブの前部が入り込むスペースに兼用されるので、スペースの兼用化によって小型化や構造の簡略化が図れる。
【図面の簡単な説明】
【０００９】
【図１】コンバインの側面図である。
【図２】本発明の第１実施形態に係る脱穀選別装置の概略側面図である。
【図３】本発明の第１実施形態に係るチャフシーブの側面図である。
【図４】本発明の第１実施形態に係るチャフシーブ及びフィン間隔調整機構を示す揺動選別体の要部断面図である。
【図５】本発明の第１実施形態に係るフィン間隔調整機構を示す揺動選別体の要部側面図である。
【図６】本発明の第１実施形態に係るフィン間隔調整機構を示す図であり、（ａ）はフィンと第２グレンパンとの連結構造を示す要部側面図、（ｂ）は第２グレンパンのスライド支持構造を示す正面図である。
【図７】本発明の第１実施形態に係るチャフシーブのフィン間隔を狭くした状態を示す脱穀選別装置の概略側面図である。
【図８】本発明の第２実施形態に係るチャフシーブのフィン間隔を広くした状態を示す脱穀選別装置の概略側面図である。
【図９】本発明の第２実施形態に係るチャフシーブのフィン間隔を狭くした状態を示す脱穀選別装置の概略側面図である。
【発明を実施するための形態】
【００１０】
以下、本発明の実施の形態について、図面に基づいて説明する。図１において、１はコンバインであって、該コンバイン１は、茎稈を刈り取る刈取部２と、刈り取った茎稈から穀粒を脱穀して選別する脱穀選別装置３と、選別した穀粒を貯留する穀粒タンク４と、穀粒タンク４内の穀粒を機外に排出する排出オーガ５と、脱穀済みの排藁を後処理する後処理部６と、オペレータが乗車する操縦部７と、クローラ式の走行部８とを備えて構成されている。
【００１１】
図１及び図２に示すように、脱穀選別装置３は、脱穀フィードチェン９が搬送する茎稈の穂先側が導入される扱室１０と、扱室１０内に回転自在に内装され、外周に突設される複数の扱歯１１で茎稈から処理物（穀粒）を脱粒させる扱胴１２と、扱胴１２の下側に沿って配置され、扱室１０から処理物を漏下させる受網１３と、受網１３から漏下した穀粒を揺動選別する揺動選別体１４と、該揺動選別体１４の下方で選別風を起風し、処理物を風選別する選別ファン１５と、一番物を回収する一番ラセン１６と、二番物を回収する二番ラセン１７と、二番ラセン１７の前方で二番選別風を起風する第２選別ファン１８と、揺動選別体１４の終端部上方に設けられ、脱穀選別装置３内の塵埃を排出する排塵ファン１９と、を備えて構成される。そして、一番ラセン１６によって回収された一番物は、揚穀筒２０を介して穀粒タンク４に貯留され、二番ラセン１７によって回収された二番物は、図示しない二番還元筒を介して扱室１０又は揺動選別体１４上に還元される。
【００１２】
揺動選別体１４は、受網１３から漏下した処理物を後方へ流すグレンパン２１と、グレンパン２１の後方に配置され、前後方向に並列する複数のフィン２２間から処理物を漏下させるチャフシーブ２３と、該チャフシーブ２３から漏下した処理物をさらに選別するグレンシーブ２４と、チャフシーブ２３の後方に配置され、二番物を漏下させるストローラック２５と、前側ほど低くなる傾斜姿勢でチャフシーブ２３及びグレンシーブ２４の下方に配置され、チャフシーブ２３及びグレンシーブ２４から漏下する一番物を一番ラセン１６に導く一番流板２６と、前側ほど低くなる傾斜姿勢でストローラック２５の下方に配置され、ストローラック２５から漏下する二番物を二番ラセン１７に導く二番流板２７と、これらを支持する左右の側板２９（図４参照）と、を備える揺動アッセンブリであり、図示しない駆動機構によって所定の周期で連続的に往復揺動される。
【００１３】
図３〜図６に示すように、揺動選別体１４には、さらに、複数のフィン２２の傾斜角度を略一定に維持したまま、複数のフィン２２を前後方向にスライド移動させてフィン２２同士の間隔（以下、単にフィン間隔という。）を調整するフィン間隔調整機構３０が設けられている。フィン間隔は、例えば、処理物の量に応じて自動的に制御される。本実施形態では、チャフシーブ２３を予めチャフシーブアッシーＡとして構成し、これを左右の側板２９間に設けるとともに、そのフィン間隔を、チャフシーブアッシーＡ側及び側板２９側に構成されるフィン間隔調整機構３０によって調整するようになっており、以下、チャフシーブアッシーＡ及びフィン間隔調整機構３０について説明する。
【００１４】
チャフシーブアッシーＡは、左右一対のアッシー側板３４と、左右のアッシー側板３４に前後移動自在に架設される複数のフィン２２と、これらのフィン２２を連結するパンタグラフ３５と、前端のフィン２２に連結される第１連結リンク３６と、を備えて構成される。
【００１５】
左右のアッシー側板３４には、前後方向を向く上下一対の長孔３４ａ、３４ｂが、上下に所定間隔を存して並列状に形成されている。フィン２２の上端部及び下端部には、左右方向を向くピン２２ａ、２２ｂが固着され、上端部のピン２２ａは、アッシー側板３４の上側の長孔３４ａに遊嵌される一方、下端部のピン２２ｂは、アッシー側板３４の下側の長孔３４ｂに遊嵌される。これにより、各フィン２２は、所定の傾斜角度を保ちながら、前後方向にスライドすることが許容される。
【００１６】
パンタグラフ３５は、互いに回動自在に連結される多数のリンク部材によって伸縮自在に構成され、アッシー側板３４の外側面に沿って配置される。パンタグラフ３５の各中間支点部のうち、後端部の中間支点部は、アッシー側板３４の後端部に固定される一方、他の中間支点部は、各フィン２２の下側ピン２２ｂを回動自在に支持している。これにより、複数のフィン２２が、パンタグラフ３５を介して連結され、パンタグラフ３５の伸縮に応じてスライドし、フィン間隔が同じ比率で変化することになる。また、第１連結リンク３６は、前端位置のフィン２２（下側ピン２２ｂ）に連結される左右一対のリンク部材３６ａと、その先端部同士を一体的に連結するパイプ部材３６ｂとを備えて構成され、その前後操作に応じて複数のフィン２２がスライドし、フィン間隔が調整される。
【００１７】
フィン間隔調整機構３０は、第１連結リンク３６を前後方向にスライド支持する第２連結リンク３７と、第１連結リンク３６に連結される作動プレート３８と、作動プレート３８を前後方向に強制移動させるモータ３９と、を備える。第１連結リンク３６のパイプ部材３６ｂには、連結軸４０が挿通され、その両端部は、揺動選別体１４の側板２９に前後方向を向いて形成される長孔２９ａに遊嵌している。第２連結リンク３７は、揺動選別体１４を左右方向に貫通する回動支軸３７ａと、該回動支軸３７ａの左右両端部に一体的に設けられる左右一対のリンク部材３７ｂと、を備えて構成される。リンク部材３７ｂの先端部には、リンク方向を向く長孔３７ｃが形成され、この長孔３７ｃで連結軸４０の左右両端部が支持される。つまり、連結軸４０の両端部を第２連結リンク３７で支持することにより、連結軸４０を長孔３７ｃに沿って円滑にスライドさせることが可能になる。
【００１８】
作動プレート３８は、側板２９の外側面に設けられる複数のガイドローラ４１で前後スライド自在に支持されるとともに、その中間部が連結軸４０に連結される。また、作動プレート３８の前端側には、ラック３８ａが形成され、ここにモータ３９の出力ギヤ３９ａが噛合される。したがって、モータ３９を駆動させると、作動プレート３８が前後にスライド移動し、それに追随するように連結軸４０が前後に移動する。これにより、第１連結リンク３６がパンタグラフ３５を伸縮させ、フィン間隔を調整することが可能になる。
【００１９】
図２及び図６に示すように、本実施形態のチャフシーブ２３は、後部が複数のフィン２２で構成され、前部が第２グレンパン４２で構成されている。第２グレンパン４２は、後端が前端位置のフィン２２に連結されることにより、フィン間隔調整に追従して前後に移動される。また、第２グレンパン４２の左右両端部には、逆Ｌ字状のガイド部材４３が設けられる一方、左右の側板２９には、ガイド部材４３を前後に案内するガイドローラ４４が設けられている。これにより、フィン間隔調整に追従して第２グレンパン４２を円滑に前後移動させることが可能になる。
【００２０】
図２は、フィン間隔調整機構３０によってチャフシーブ２３のフィン間隔を広くした状態を示し、図７は、フィン間隔調整機構３０によってチャフシーブ２３のフィン間隔を狭くした状態を示している。これらの図に示すように、チャフシーブ２３の後端位置（後端位置のフィン２２）は、フィン間隔調整機構３０によるフィン間隔調整状態に拘らず、一番流板２６の上端位置よりも後方に位置する。つまり、本実施形態のフィン間隔調整機構３０は、チャフシーブ２３の後端を基準（固定点）とし、複数のフィン２２の前後スライド移動に基づいてフィン間隔を調整することにより、チャフシーブ２３の後端を一番流板２６の上端位置よりも後方に位置させる。これにより、チャフシーブ２３の後端まで到達した藁屑などの夾雑物が一番流板２６に落下して一番ラセン１６に混入することが防止される。
【００２１】
また、チャフシーブ２３の前部は、複数のフィン２２の前方へのスライド移動に際し、グレンパン２１の下方に入り込む。つまり、本実施形態のチャフシーブ２３では、その前部を構成する第２グレンパン４２がグレンパン２１の下方に入り込む。これにより、フィン間隔調整機構３０によるフィン間隔調整状態に拘らず、チャフシーブ２３の有効前後長さ（選別長さ）を略一定に維持できるだけでなく、複数のフィン２２をグレンパン２１の下方に入り込ませる場合に比べ、入り込ませるためのスペースを小さくすることが可能になる。
【００２２】
グレンパン２１とチャフシーブ２３との間には、選別風が通る選別風路４５が設けられる。選別風路４５の前端部には、第３選別ファン４６が配置され、該第３選別ファン４６で起風された選別風が選別風路４５を介してグレンパン２１とチャフシーブ２３との間に送風される。これにより、グレンパン２１とチャフシーブ２３との間に段差が生じるとともに、グレンパン２１からチャフシーブ２３に落下する処理物が第３選別ファン４６による風選別を受け、選別精度の向上が図られる。
【００２３】
本実施形態の第３選別ファン４６は、電動ファンであり、その回転数が選別ファン１５の回転数に連動するように制御（例えば、高速、中速、低速、停止）される。また、電動ファンからなる第３選別ファン４６は、揺動選別体１４と一体的に構成することが可能であり、その取り付けやメンテナンス性が容易になる。なお、本実施形態では、選別風路４５に専用の第３選別ファン４６を配置しているが、選別ファン１５で起風された選別風を分岐させて選別風路４５に導くようにしてもよい。
【００２４】
図７に示すように、選別風路４５は、グレンパン２１の下方に設けられ、チャフシーブ２３の前部（第２グレンパン４２）が入り込むスペースに兼用される。これにより、スペースの兼用化に基づいて小型化や構造の簡略化が図れる。
【００２５】
叙述の如く構成された本実施形態によれば、フィン間隔調整機構３０は、チャフシーブ２３の後端を基準（固定点）とし、複数のフィン２２の前後スライド移動に基づいてフィン間隔を調整するだけでなく、複数のフィン２２の前方へのスライド移動に際し、チャフシーブ２３の前部がグレンパン２１の下方に入り込むので、フィン間隔調整機構３０によるフィン間隔調整状態に拘らず、チャフシーブの有効前後長さ（選別長さ）を略一定に維持できる。
【００２６】
また、チャフシーブ２３の後端位置が、フィン間隔調整機構３０によるフィン間隔調整状態に拘らず、一番流板２６の上端位置よりも後方となるので、チャフシーブ２３の後端まで到達した藁屑などの夾雑物が一番流板２３に落下して一番ラセン１６に混入することを防止できる。
【００２７】
また、チャフシーブ２３は、後部を構成する複数のフィン２２と、前部を構成する第２グレンパン４２と、を備え、第２グレンパン４２は、複数のフィン２２と一緒に前後方向にスライド移動するとともに、複数のフィン２２の前方へのスライド移動に際し、グレンパン２１の下方に入り込むので、複数のフィン２２をグレンパン２１の下方に入り込ませる場合に比べ、入り込ませるためのスペースを小さくできる。
【００２８】
また、グレンパン２１とチャフシーブ２３との間には、選別風が通る選別風路４５が設けられるので、選別精度を向上できる。
【００２９】
また、選別風路４５は、グレンパン２１の下方に設けられ、チャフシーブ２３の前部が入り込むスペースに兼用されるので、スペースの兼用化によって小型化や構造の簡略化が図れる。
【００３０】
つぎに、本発明の第２実施形態に係る脱穀選別装置３Ｂについて、図８及び図９を参照して説明する。ただし、前記第１実施形態と共通の構成については、前記第１実施形態と同じ符号を用いることにより、前記第１実施形態の説明を援用する。
【００３１】
図８は、フィン間隔調整機構３０によってチャフシーブ２３のフィン間隔を広くした状態を示し、図９は、フィン間隔調整機構３０によってチャフシーブ２３のフィン間隔を狭くした状態を示している。これらの図に示すように、第２実施形態は、フィン間隔調整機構３０が、チャフシーブ２３の後端を基準（固定点）とし、複数のフィン２２の前後スライド移動に基づいてフィン間隔を調整することにより、チャフシーブ２３の後端をフィン間隔調整状態に拘らず一番流板２６の上端位置よりも後方に位置させる点は前記第１実施形態と同様であるが、チャフシーブ２３が第２グレンパン４２を備えず、チャフシーブ２３が前後方向全域に亘って複数のフィン２２で構成される点が前記第１実施形態と相違している。そして、第２実施形態では、図８に示すように、複数のフィン２２の前方へのスライド移動に際し、チャフシーブ２３の前部を構成する複数のフィン２２がグレンパン２１の下方（選別風路４５）に入り込むことになる。
【符号の説明】
【００３２】
１  コンバイン
３  脱穀選別装置
１０  扱室
１２  扱胴
１３  受網
１４  揺動選別体
１５  選別ファン
１６  一番ラセン
２１  グレンパン
２２  フィン
２３  チャフシーブ
２６  一番流板
３０  フィン間隔調整機構
４２  第２グレンパン
４５  選別風路
４６  第３選別ファン
【図１】
2018068202.tif 000003
【図２】
2018068202.tif 000004
【図３】
2018068202.tif 000005
【図４】
2018068202.tif 000006
【図５】
2018068202.tif 000007
【図６】
2018068202.tif 000008
【図７】
2018068202.tif 000009
【図８】
2018068202.tif 000010
【図９】
2018068202.tif 000011